(57)【要約】【課題】表示手段に表示される映像情報を選択する選択手段と異なる選択手段により選択されて常時録画される映像情報にかかる番組情報を容易に確認することができる録画装置及び録画システムを提供する。【解決手段】無線又は有線によって放送された放送情報から第１放送情報を選択する主チューナ１３（第１選択手段）と、前記放送情報から第２放送情報を選択する従チューナ１４（第２選択手段）と、主チューナ１３で選択した第１放送情報の第１映像情報を表示するモニタ１６（表示手段）と、従チューナ１４で選択した第２放送情報の第２映像情報を常時録画する従録画部１９（第１録画手段）と、従録画部１９で録画される第２映像情報にかかる録画情報をモニタ１６に表示させる表示制御部１５と、を備える。【選択図】図１
2011182058.tif 000002
【特許請求の範囲】
【請求項１】
無線又は有線によって放送された放送情報から第１放送情報を選択する第１選択手段と、
前記放送情報から第２放送情報を選択する第２選択手段と、
前記第１選択手段が選択した前記第１放送情報の第１映像情報を表示する表示手段と、
前記第２選択手段が選択した前記第２放送情報の少なくとも第２映像情報を録画させる第１録画手段と、
前記第２放送情報にかかる録画情報を示す表示を前記表示手段に表示させる表示制御手段と、
を備えることを特徴とする録画装置。
【請求項２】
前記録画装置は、前記表示手段に表示された第１映像情報の分類情報を記憶する記憶手段を備え、
前記第２選択手段は、前記記憶手段に記憶された分類情報に基づき、第２放送情報を選択することを特徴とする請求項１に記載の録画装置。
【請求項３】
前記分類情報は、番組名及び／又は種別であることを特徴とする請求項２に記載の録画装置。
【請求項４】
前記分類情報は、前記放送情報に含まれることを特徴とする請求項２又は３に記載の録画装置。
【請求項５】
前記録画装置は、少なくとも前記第１映像情報を録画させる第２録画手段を備えることを特徴とする請求項１〜４のいずれか１項に記載の録画装置。
【請求項６】
前記表示制御手段は、前記第１選択手段が選択した前記第１放送情報と、前記第２選択手段が選択した前記第２放送情報とが同じであるとき、前記表示手段に同じである旨を表示させることを特徴とする請求項１〜５のいずれか１項に記載の録画装置。
【請求項７】
前記録画情報とは、前記第２放送情報を示す番号、又は前記第２放送情報で放送している番組の番組名であることを特徴とする請求項１〜６のいずれか１項に記載の録画装置。
【請求項８】
放送情報を視聴するためのテレビジョン装置と、前記放送情報を録画する録画装置と、から構成される録画システムにおいて、
前記テレビジョン装置は、
前記放送情報から第１放送情報を選択する第１選択手段と、
前記第１選択手段が選択した前記第１放送情報の第１映像情報を表示する表示手段と、
前記録画装置から録画情報を取得する第１通信手段と、
前記録画情報を示す表示を前記表示手段に表示させる表示制御手段と、を備え、
前記録画装置は、
前記放送情報から第２放送情報を選択する第２選択手段と、
前記第２選択手段が選択した前記第２放送情報の少なくとも第２映像情報を録画させる第１録画手段と、
前記第２放送情報にかかる録画情報を前記テレビジョン装置に供給する第２通信手段と、を備えることを特徴とする録画システム。
【請求項９】
前記テレビジョン装置は、前記表示手段に表示された第１映像情報の分類情報を記憶する記憶手段を備え、
前記第２選択手段は、前記記憶手段に記憶された分類情報に基づき、第２放送情報を選択することを特徴とする請求項８に記載の録画システム。
【請求項１０】
前記分類情報は、番組名及び／又は種別であることを特徴とする請求項９に記載の録画システム。
【請求項１１】
前記分類情報は、前記放送情報に含まれることを特徴とする請求項９又は１０に記載の録画システム。
【請求項１２】
前記テレビジョン装置は、少なくとも前記第１映像情報を録画させる第２録画手段を備えることを特徴とする請求項８〜１１のいずれか１項に記載の録画システム。
【請求項１３】
前記表示制御手段は、前記第１選択手段が選択した前記第１放送情報と、前記第２選択手段が選択した前記第２放送情報とが同じであるとき、前記表示手段に同じである旨を表示させることを特徴とする請求項８〜１２のいずれか１項に記載の録画システム。
【請求項１４】
前記録画情報とは、前記第２放送情報を示す番号、又は前記第２放送情報で放送している番組の番組名であることを特徴とする請求項８〜１３のいずれか１項に記載の録画システム。
【発明の詳細な説明】
【技術分野】
【０００１】
本発明は、録画装置及び録画システムに関し、特に、無線又は有線によって放送された放送情報を表示するとともに録画する録画装置及び録画システムに関する。
【背景技術】
【０００２】
放送局から放送された無線電波又は有線電波をテレビジョン装置で受信し、所望のチャンネルの映像情報をモニタに表示させる一方、必要に応じてビデオレコーダに録画する録画システムがある。映像情報を録画するためには、通常、番組情報に従い、所望の映像情報を放送するチャンネル及び放送時間を選択して録画予約を行う必要がある。また、モニタに表示されている放送中の映像情報を録画する場合であっても、当該映像情報を放送するチャンネルを選択する必要がある。この場合、チャンネルの選択や予約時間等を誤ると、所望の映像情報を録画することができなくなってしまう。
【０００３】
ところで、下記の特許文献１（特開２００５−２６９６６４号公報）には、放送チューナからのビデオ信号を表示部に出力して表示させるとともに主録画部で録画する一方、チャンネル選択された副チューナからのビデオ信号を副録画部で録画する録画システムが開示されている。この場合、ユーザが現在視聴中の映像情報は、主録画部により常に録画されているため、現在視聴中の映像情報を録画予約しなかった場合、あるいは、その録画予約を間違えてしまった場合であっても、当該映像情報を確実に録画して再視聴することができる。
【先行技術文献】
【特許文献】
【０００４】
【特許文献１】特開２００５−２６９６６４号公報（段落［００７６］）
【発明の概要】
【発明が解決しようとする課題】
【０００５】
しかしながら、上記特許文献１に開示された先行技術では、現在視聴中の映像情報については、確実に録画して再視聴することができるが、副録画部で録画中のチャンネルや番組名を簡単に確認する手段が提供されていない。副録画部での録画設定を誤ると、副録画部で所望の映像情報を録画することができなくなってしまう。ユーザが自分で副録画部に番組を録画指定した場合には、ユーザがその内容を認識しているため、問題にならないが、副録画部で番組が常時自動録画されているような場合、録画中の番組の内容をユーザが常時把握することはできない。そのため、ユーザは、番組表や、副録画部で録画中のチャンネル、現在の時刻などを参照して、副録画部で録画されている番組を確認しなければならない。
【０００６】
本発明は、上記の問題点を解消することを課題とするものであり、表示手段に表示される映像情報を含む放送情報を選択する選択手段と異なる選択手段により選択されて常時録画される映像情報にかかる番組情報を容易に確認することができ、録画ミスが生じることのない録画装置及び録画システムを提供することを目的とするものである。
【課題を解決するための手段】
【０００７】
前記の課題を解決するために、本願の請求項１にかかる録画装置の発明は、無線又は有線によって放送された放送情報から第１放送情報を選択する第１選択手段と、前記放送情報から第２放送情報を選択する第２選択手段と、前記第１選択手段が選択した前記第１放送情報の第１映像情報を表示する表示手段と、前記第２選択手段が選択した前記第２放送情報の少なくとも第２映像情報を録画させる第１録画手段と、前記第２放送情報にかかる録画情報を示す表示を前記表示手段に表示させる表示制御手段と、を備えることを特徴とする。
【０００８】
本願の請求項２にかかる発明は、請求項１に記載の録画装置において、前記録画装置は、前記表示手段に表示された第１映像情報の分類情報を記憶する記憶手段を備え、前記第２選択手段は、前記記憶手段に記憶された分類情報に基づき、第２放送情報を選択することを特徴とする。
【０００９】
本願の請求項３にかかる発明は、請求項２に記載の録画装置において、前記分類情報は、番組名及び／又は種別であることを特徴とする。
【００１０】
本願の請求項４にかかる発明は、請求項２又は３に記載の録画装置において、前記分類情報は、前記放送情報に含まれることを特徴とする請求項２又は３に記載の録画装置。
【００１１】
本願の請求項５にかかる発明は、請求項１〜４のいずれか１項に記載の録画装置において、前記録画装置は、少なくとも前記第１映像情報を録画させる第２録画手段を備えることを特徴とする。
【００１２】
本願の請求項６にかかる発明は、請求項１〜５のいずれか１項に記載の録画装置において、前記表示制御手段は、前記第１選択手段が選択した前記第１放送情報と、前記第２選択手段が選択した前記第２放送情報とが同じであるとき、前記表示手段に同じである旨を表示させることを特徴とする。
【００１３】
本願の請求項７にかかる発明は、請求項１〜６のいずれか１項に記載の録画装置において、前記録画情報とは、前記第２放送情報を示す番号、又は前記第２放送情報で放送している番組の番組名であることを特徴とする。
【００１４】
本願の請求項８にかかる発明は、放送情報を視聴するためのテレビジョン装置と、前記放送情報を録画する録画装置と、から構成される録画システムにおいて、前記テレビジョン装置は、前記放送情報から第１放送情報を選択する第１選択手段と、前記第１選択手段が選択した前記第１放送情報の第１映像情報を表示する表示手段と、前記録画装置から録画情報を取得する第１通信手段と、前記録画情報を示す表示を前記表示手段に表示させる表示制御手段と、を備え、前記録画装置は、前記放送情報から第２放送情報を選択する第２選択手段と、前記第２選択手段が選択した前記第２放送情報の少なくとも第２映像情報を録画させる第１録画手段と、前記第２放送情報にかかる録画情報を前記テレビジョン装置に供給する第２通信手段と、を備えることを特徴とする。
【００１５】
本願の請求項９にかかる発明は、請求項８に記載の録画装置において、前記テレビジョン装置は、前記表示手段に表示された第１映像情報の分類情報を記憶する記憶手段を備え、前記第２選択手段は、前記記憶手段に記憶された分類情報に基づき、第２放送情報を選択することを特徴とする。
【００１６】
本願の請求項１０にかかる発明は、請求項９に記載の録画装置において、前記分類情報は、番組名及び／又は種別であることを特徴とする。
【００１７】
本願の請求項１１にかかる発明は、請求項９又は１０に記載の録画装置において、前記分類情報は、前記放送情報に含まれることを特徴とする。
【００１８】
本願の請求項１２にかかる発明は、請求項８〜１１のいずれか１項に記載の録画装置において、前記テレビジョン装置は、少なくとも前記第１映像情報を録画させる第２録画手段を備えることを特徴とする。
【００１９】
本願の請求項１３にかかる発明は、請求項８〜１２のいずれか１項に記載の録画装置において、前記表示制御手段は、前記第１選択手段が選択した前記第１放送情報と、前記第２選択手段が選択した前記第２放送情報とが同じであるとき、前記表示手段に同じである旨を表示させることを特徴とする。
【００２０】
本願の請求項１４にかかる発明は、請求項８〜１３のいずれか１項に記載の録画装置において、前記録画情報とは、前記第２放送情報を示す番号、又は前記第２放送情報で放送している番組の番組名であることを特徴とする。
【発明の効果】
【００２１】
第１映像情報を表示している表示手段に、第２選択手段が選択した第２放送情報にかかる録画情報を示す表示を表示させることにより、録画されている第２映像情報の内容をユーザが容易に確認することができる。この結果、ユーザは、所望の番組を間違えることなく選択して録画することができる。
【図面の簡単な説明】
【００２２】
【図１】本発明の実施例にかかる録画装置１０の要部構成を示すブロック図である。
【図２】本発明の実施例にかかる録画装置１０の処理フローチャートである。
【図３】モニタ１６に表示されるメッセージの説明図である。
【図４】モニタ１６に表示されるメッセージの説明図である。
【図５】本発明の実施例にかかる録画システム２５の要部構成を示すブロック図である。
【発明を実施するための形態】
【００２３】
以下、本発明の具体例を実施例及び図面を用いて詳細に説明する。但し、以下に示す実施形態は、本発明の技術的思想を具体化するための録画装置及び録画システムを例示するものであって、本発明をこれらの録画装置及び録画システムに特定することを意図するものではなく、特許請求の範囲に含まれるその他の実施形態の録画装置及び録画システムにも等しく適応し得るものである。
【実施例１】
【００２４】
図１は、本発明の実施例にかかる録画装置１０の要部構成を示すブロック図である。録画装置１０は、例えば、テレビ放送を受信するテレビジョン装置とビデオレコーダとを一体化した装置、又は、テレビジョン装置にハードディスクドライブ等の記憶媒体を設けることで録画可能とした装置である。
【００２５】
録画装置１０は、装置全体を制御する制御部１１と、放送局から無線電波又は有線電波として放送された放送情報を受信する受信部１２が受信した放送情報からユーザが希望するチャンネルを制御部１１の指示に基づき選択する、すなわち、選択したチャンネルを用いて放送される放送情報（第１放送情報）を選択する主チューナ１３（第１選択手段）と、受信部１２が受信した放送情報からユーザが希望するチャンネルを制御部１１の指示に基づき選択する、すなわち、選択したチャンネルを用いて放送される放送情報（第２放送情報）を選択する従チューナ１４（第２選択手段）と、主チューナ１３により選択された放送情報（第１放送情報）に含まれる第１映像情報の表示制御を行う表示制御部１５（表示制御手段）と、表示制御部１５により制御されて第１映像情報を表示するモニタ１６（表示手段）と、を備える。
【００２６】
また、録画装置１０は、主チューナ１３及び従チューナ１４により選択された放送情報（第１放送情報、第２放送情報）に含まれる映像情報（第１映像情報、第２映像情報）を録画する録画機能を有している。録画操作部１７は、ユーザが希望する番組、チャンネル、録画開始終了時刻等を制御部１１に入力し、あるいは、放送情報に含まれる番組情報ＥＰＧ（Electronic Program Guide）を用いて録画予約を行うための操作部である。主録画部１８（第２録画手段）は、主チューナ１３により選択された第１放送情報の第１映像情報を主録画メモリ２０に常時録画させ、従録画部１９（第１録画手段）は、従チューナ１４により選択された第２放送情報の第２映像情報を従録画メモリ２１に常時録画させる。
【００２７】
なお、常時録画とは、録画装置１０に電源が入っている状態において、主チューナ１３及び従チューナ１４により選択された放送情報（第１放送情報、第２放送情報）に含まれる映像情報（第１映像情報、第２映像情報）を常に録画することであるが、本実施例においては、例えば、ユーザが視聴する番組の好みを判別し、ユーザの好みに合った番組が放送される際に、従チューナ１４は、当該番組が放送される放送情報（第２放送情報）を選択し、従録画部１９が従チューナ１４により選択された第２放送情報の第２映像情報を従録画メモリ２１に自動的に録画するような場合も含まれる。なお、ユーザの好みの番組は、ユーザが過去に視聴した番組の番組名や番組のジャンル（スポーツやニュースなど）などから判別することが可能であり、番組名などは番組情報ＥＰＧを参照することで判別可能である。なお、ユーザが過去に視聴した番組の番組名や番組のジャンルは、図示しない記憶媒体などに記憶される。また、後述する録画システム２５においては、送受信３２から送受信部４２へユーザが過去に視聴した番組の番組名や番組のジャンルを送信する、或いは、ユーザの好みに合った番組が放送される際に、当該番組が放送される放送情報（チャンネル）を送信することで、従チューナ１４は、当該番組が放送される放送情報（第２放送情報）を選択することができる。また、録画される映像情報に音声情報が含まれることが好ましい。
【００２８】
番組情報メモリ２２は、受信部１２が受信した放送情報に含まれる番組のチャンネル、放送開始終了時刻、番組名等の番組情報ＥＰＧを記憶する。なお、番組情報は、放送情報に含まれる以外にも、番組情報メモリ２２に予め記憶されていてもよく、記憶されている番組情報は、新たな番組情報が記憶されている記憶媒体などから、読み出して書き換えることで更新することができる。
【００２９】
メッセージメモリ２３は、従録画メモリ２１に録画される第２映像情報に関するメッセージであって、モニタ１６に表示するメッセージを記憶する。
【００３０】
本発明においてモニタ１６に表示するメッセージは、ユーザに従録画部１９で録画中の映像情報が何であるかを報知し、あるいは、ユーザに従録画部１９で録画中の映像情報と主録画部１８で録画中の映像情報との関係（録画の重複）を報知（警告）するためのものである。
【００３１】
前者の場合は、従チューナ１４が選択しているチャンネルの番号をメッセージとして編集、記憶しそれをモニタ１６に表示する、あるいは、現在、従チューナ１４が選択している第２放送情報（チャンネル）で放送している番組の番組名を、番組情報ＥＰＧを参照して抽出し、抽出した番組名をメッセージとして編集、記憶してそれをモニタ１６に表示すればよい。後者の場合は単に主録画部１８と従録画部１９の録画中の映像情報が重複していることを警告するメッセージを予めメッセージメモリ２３に用意しておき、それをモニタ１６に表示することもできる。なお、以下の説明において、これらのチャンネルの番号や番組名は、従録画部１９で録画中の第２映像情報に関する情報であるから、これを録画情報とも表現する。
【００３２】
次に、図２に示すフローチャートに基づき、録画装置１０の動作について説明する。
【００３３】
受信部１２は、各放送局から無線又は有線で放送されている放送情報を受信する（ステップＳ１０１）。この放送情報には、視聴する映像情報に加えて、チャンネル、放送開始終了時刻、番組名等の電子番組表を構成する番組情報ＥＰＧが含まれている。番組情報ＥＰＧは、番組情報メモリ２２に記憶される。
【００３４】
主チューナ１３は、ユーザが録画操作部１７を操作して所望のチャンネルを制御部１１に指示することにより、受信部１２が受信した放送情報からユーザが指示したチャンネルを選択する、すなわち、選択したチャンネルを用いて放送される放送情報を選択する（ステップＳ１０２）。表示制御部１５は、主チューナ１３により選択された放送情報（第１放送情報）に含まれる映像情報（第１映像情報）をモニタ１６に表示する（ステップＳ１０３）。従って、ユーザは、モニタ１６に表示された映像を視聴することができる。
【００３５】
また、主録画部１８は、主チューナ１３により選択された放送情報（第１放送情報）に含まれる第１映像情報を、表示制御部１５によるモニタ１６への表示処理に並行して、主録画メモリ２０に録画させる（ステップＳ１０４）。この場合、主録画メモリ２０には、モニタ１６に表示されている第１映像情報が常時録画される。なお、主録画メモリ２０の記憶容量は、当然に有限である。そこで、ユーザによる保存指示（後述）がない場合、例えば、視聴している１つの番組が終了する毎に、次の番組が上書き録画されるように構成することにより、主録画メモリ２０の記憶領域を確保することができる。
【００３６】
なお、主録画メモリ２０に記憶する番組の上書き録画の方法は上記の方法に限られない。次に録画する番組を録画するために必要な記憶容量は、番組情報ＥＰＧを用いて録画開始前に知ることができるから、主録画メモリ２０の残り記憶容量を判別し、次に録画すべき番組に必要な記憶容量を確保するため、既に録画した番組のうち古いものから順に必要な記憶容量が得られるだけの映像情報を消去する方法を採ることもできる。
【００３７】
一方、従チューナ１４は、ユーザが録画操作部１７を操作して所望のチャンネルを制御部１１に指示することにより、受信部１２が受信した放送情報からユーザが指示したチャンネルを選択する、すなわち、選択したチャンネルを用いて放送される放送情報（第２放送情報）を選択する（ステップＳ１０５）。従録画部１９は、従チューナ１４により選択された放送情報（第２放送情報）に含まれる第２映像情報を従録画メモリ２１に常時録画させる（ステップＳ１０６）。なお、従チューナ１４が放送情報（第２放送情報）を選択していない場合には、主チューナ１３で選択された放送情報（第１放送情報）に含まれる第１映像情報を従録画メモリ２１にも録画させるようにしてもよい。
【００３８】
制御部１１は、主チューナ１３により選択された第１放送情報と、従チューナ１４により選択された第２放送情報とが同じであるか否かを判定する（ステップＳ１０７）。
【００３９】
第１放送情報と第２放送情報とが同じ（すなわちチャンネルが同じ）でない場合（ステップＳ１０７、ＮＯ）、表示制御部１５は、番組情報ＥＰＧを番組情報メモリ２２から読み出し、現在、従チューナ１４が選択している第２放送情報（チャンネル）で放送している番組の番組名（録画情報）を抽出してメッセージとして編集し、メッセージメモリ２３に記憶し、記憶したメッセージを第１映像情報を表示しているモニタ１６の一部に表示させる（ステップＳ１０８）。なお、番組名は、番組情報ＥＰＧ、従チューナ１４により選択されているチャンネルおよび現在時刻から判別することが可能である。
【００４０】
図３は、モニタ１６の一部に表示されるメッセージの例であり、例えば、「従録画部で録画中の番組は、○○です」とのメッセージが表示される。ユーザは、表示されたメッセージに従い、モニタ１６に表示されている第１映像情報を視聴しながら、従録画部１９で常時録画されている番組の内容を確認することができる。なお、表示する内容は上記に限らず、例えば、従チューナ１４で選択されているチャンネルの番号を表示しても良い。
【００４１】
また、主チューナ１３により選択された第１放送情報と、従チューナ１４により選択された第２放送情報とが同じ（すなわちチャンネルが同じ）である場合（ステップＳ１０７、ＹＥＳ）、表示制御部１５は、同一チャンネルが選択されていることを示すメッセージをメッセージメモリ２３から読み出し、第１映像情報を表示しているモニタ１６の一部に表示させる（ステップＳ１０９）。このメッセージは、単に主録画部１８と従録画部１９の録画中の放送情報が重複していることを警告するメッセージで十分であるから、前述したように、予めメッセージメモリ２３に用意しておくことができる。
【００４２】
図４は、モニタ１６の一部に表示されるメッセージの例であり、例えば、「従録画部で同じ番組を録画中です」とのメッセージが表示される。ユーザは、表示されたメッセージに従い、現在、モニタ１６に表示されている第１映像情報と同じ映像情報が従録画部１９で録画されていることを確認することができる。
【００４３】
ユーザは、モニタ１６に表示された従録画部１９での録画状況を確認することにより、必要に応じて、従チューナ１４により選択される第２放送情報を変更する等の操作を行うことができる。第２放送情報、すなわち、チャンネルが変更されると、表示制御部１５は、変更後のチャンネル、番組情報ＥＰＧおよび現在時刻などを参照し、前述のステップＳ１０８の手順と同様にしてメッセージをモニタ１６に表示する。
【００４４】
次に、ユーザが録画操作部１７を操作することで、映像情報の保存指示が行われると（ステップＳ１１０、ＹＥＳ）、表示制御部１５は、主録画部１８又は従録画部１９の何れを選択するのかを問い合わせるメッセージをモニタ１６に表示させる。ユーザは、表示されたメッセージに従い、録画操作部１７を用いて視聴中の第１映像情報を保存する主録画部１８、又は、モニタ１６の一部に表示されている従録画部１９で録画中の第２映像情報を保存する従録画部１９を選択する（ステップＳ１１１）。
【００４５】
主録画部１８又は従録画部１９が選択された後、表示制御部１５は、選択された主録画部１８又は従録画部１９で録画中の映像情報の保存範囲を選択するためのメッセージをモニタ１６に表示させる。この場合、主録画部１８及び従録画部１９は、主チューナ１３及び従チューナで選択されている放送情報に含まれる映像情報を常時録画しているため、ユーザは、当該映像情報をその番組の最初から保存するのか、あるいは、保存指示があった時点から以降の番組を保存するのかを選択することができる。映像情報を番組の最初から保存することが選択された場合、ユーザは、当該映像情報を最初から再視聴することができる。なお、主録画部１８又は従録画部１９の何れを選択するのかを問い合わせるメッセージおよび映像情報の保存範囲を選択するためのメッセージなどはメッセージメモリ２３に記憶されていてもよいし、図示しないその他の記憶媒体などに記憶されていてもよい。
【００４６】
ユーザにより映像情報の保存範囲が選択されると（ステップＳ１１２）、ステップＳ１１１で選択された主録画部１８又は従録画部１９は、ステップＳ１１２で選択された保存範囲の映像情報を主録画メモリ２０又は従録画メモリ２１に保存させる（ステップＳ１１３）。
【００４７】
ここで、ステップＳ１１３における保存とは、主録画メモリ２０又は従録画メモリ２１に、常時録画の際に使用する一時保存領域とは異なる保存領域を設け、当該保存領域に保存させることである。すなわち、この保存領域には、時間経過や記憶容量などが変化しても自動で削除されない映像情報を保存する。なお、常時録画の際に使用する保存領域と異なる保存領域ではなく、新たな録画メモリを設け、当該録画メモリに映像情報を保存しても良い。
【実施例２】
【００４８】
図５は、本発明の実施例にかかる録画システム２５の要部構成を示すブロック図である。録画システム２５は、テレビジョン装置３０と、テレビジョン装置３０に接続されるビデオレコーダ４０（録画装置）とから構成される。なお、図１に示す録画装置１０と同一の構成要素には同一の参照符号を付し、その詳細な説明は省略する。
【００４９】
テレビジョン装置３０は、制御部３１、主チューナ１３（第１選択手段）、表示制御部１５（表示制御手段）、モニタ１６（表示手段）、録画操作部１７、主録画部１８（第２録画手段）、送受信部３２（第１通信手段）、主録画メモリ２０、番組情報メモリ２２及びメッセージメモリ２３を備え、受信部１２で受信した放送情報から主チューナ１３が選択した第１放送情報に含まれる第１映像情報をモニタ１６に表示するとともに、第１映像情報を主録画メモリ２０に録画する。ビデオレコーダ４０は、制御部４１、従チューナ１４（第２選択手段）、従録画部１９（第１録画手段）、録画操作部１７、送受信部４２（第２通信手段）、従録画メモリ２１及び番組情報メモリ２２を備え、受信部１２で受信した放送情報から従チューナ１４が選択した第２放送情報に含まれる第２映像情報を従録画メモリ２１に録画する。
【００５０】
ビデオレコーダ４０において、従録画部１９は、録画操作部１７を用いてユーザにより選択された放送情報（第２放送情報）に含まれる第２映像情報を従録画メモリ２１に常時録画させる。また、従録画部１９は、ユーザが録画操作部１７を用いて録画中の第２映像情報の保存指示を行なうと、第２映像情報を従録画メモリ２１に保存させる。この保存は上述の通り、自動で削除されない保存である。さらに、ビデオレコーダ４０の制御部４１は、番組情報ＥＰＧを番組情報メモリ２２から読み出し、現在、従チューナ１４が選択している第２放送情報（チャンネル）で放送している番組の番組名を抽出し、抽出した番組名を送受信部４２からテレビジョン装置３０の送受信部３２に送信する。この送受信部４２から送受信部３２への送信は、近距離無線通信など種々の通信手段を用いることで可能である。なお、送信する情報は、番組名に限らず、従チューナ１４が選択しているチャンネルの番号などを送信してもよい。
【００５１】
一方、テレビジョン装置３０において、表示制御部１５が第１映像情報をモニタ１６に表示する一方、主録画部１８は、第１映像情報を主録画メモリ２０に常時録画させる。また、主録画部１８は、ユーザが録画操作部１７を用いて録画中の第１映像情報の保存指示を行なうと、視聴中の第１映像情報を主録画メモリ２０に保存させる。この保存は上述の通り、自動で削除されない保存である。さらに、表示制御部１５は、ビデオレコーダ４０が常時録画している第２映像情報にかかる番組名を送受信部３２及び４２を介して取得し、前述の実施例１で説明したと同様の処理を行い、図３又は図４に示すようなメッセージをモニタ１６の一部に表示させる。
【００５２】
この場合、ユーザは、第１映像情報をモニタ１６で視聴することができるとともに、テレビジョン装置３０に接続されたビデオレコーダ４０で常時録画されている第２映像情報にかかるメッセージをモニタ１６で確認することができる。
【００５３】
なお、本発明は、上述した実施例に限定されるものではなく、本発明の要旨を逸脱しない範囲で変更することが可能である。
【００５４】
例えば、実施例１及び２では、主チューナ１３に対して１つの従チューナ１４及び従録画メモリ２１を備えるものとして説明したが、複数の従チューナ１４及び従録画メモリ２１を備える場合に対しても容易に拡張することができる。この場合、各従チューナ１４によって選択された複数の映像情報にかかる複数のメッセージをモニタ１６に表示させることにより、全ての従チューナ１４により選択されて従録画メモリ２１に常時録画されている映像情報をモニタ１６で確認することができる。
【００５５】
また、テレビジョン装置３０とビデオレコーダ４０とが別体である実施例２の録画システム２５において、テレビジョン装置３０の録画機能である録画操作部１７、主録画部１８及び主録画メモリ２０を、ビデオレコーダ４０側に設け、ビデオレコーダ４０側において、主チューナ１３で選択した第１映像情報と、従チューナ１４で選択した第２映像情報とを録画するように構成してもよい。
【００５６】
さらに、上記実施例では、放送情報を受信する受信部１２を１つだけ備えた場合を例示したが、これに限ることはなく、例えば、主チューナ１３、従チューナ１４毎に受信部が設けられていてもよい。
【符号の説明】
【００５７】
１０・・・録画装置
１３・・・主チューナ
１４・・・従チューナ
１５・・・表示制御部
１６・・・モニタ
１７・・・録画操作部
１８・・・主録画部
１９・・・従録画部
２０・・・主録画メモリ
２１・・・従録画メモリ
２２・・・番組情報メモリ
２３・・・メッセージメモリ
２５・・・録画システム
３０・・・テレビジョン装置
３２、４２・・・送受信部
４０・・・ビデオレコーダ
【図１】
2011182058.tif 000003
【図２】
2011182058.tif 000004
【図３】
2011182058.tif 000005
【図４】
2011182058.tif 000006
【図５】
2011182058.tif 000007